(57)【要約】  モバイル演算アプリケーションにおいて広告を可能にするシステム、装置及び方法が提供される。特に、ユーザによりフレンドリな広告情報を供給することができ、装置のグラフィックベースのユーザインタフェースにおける干渉が殆どない装置及び方法が提供される。モバイル演算装置に組み込まれることが可能である一体的プロジェクタモジュールがまた、提供される。上記モジュールは、何れかの面に広告コンテントを外部に投影することができる。
2012527710.tif 000002
【特許請求の範囲】
【請求項１】
モバイル投影装置により広告コンテント管理を容易にするシステムであって：
広告コンテントを受入する選択管理構成要素；並びに
他のコンテントの周辺である領域内の前記広告コンテントを位置付ける提示管理構成要素であって、前記広告コンテント及び前記他のコンテントが前記モバイル投影装置により投影される、提示管理構成要素；
を有するシステム。
【請求項２】
請求項１に記載のシステムであって：
キーワード解析、クエリトピック解析、日時、場所、スケジュール又は興味の一における少なくとも一部に基づいて、前記広告コンテントを確立するコンテキストアウェアネス構成要素；
を有するシステム。
【請求項３】
請求項２に記載のシステムであって、前記提示管理構成要素は、前記モバイル投影装置により投影された表示領域についての許容ユーザ入力領域の周囲の少なくとも部分的に外側にある外側領域の前記広告コンテントを位置付ける、システム。
【請求項４】
請求項２に記載のシステムであって、前記提示管理構成要素は、何れかの他のコンテントの可視性を重なり合わないように、前記広告コンテントを位置付ける、システム。
【請求項５】
請求項１に記載のシステムであって：
前記他のコンテントの機能として広告を配置するコンフィギュレーション構成要素；
を更に有する、システム。
【請求項６】
請求項５に記載のシステムであって、可視的表示のための前記広告コンテント及び前記他のコンテントを提示するレンダリング構成要素を更に有する、システム。
【請求項７】
請求項６に記載のシステムであって、前記レンダリング構成要素は、前記モバイル投影装置に一体化されたレーザが備えられた提示モジュールであり、前記レーザが備えられた提示モジュールは、前記広告コンテント及び他のコンテントの面への提示を容易にする、システム。
【請求項８】
請求項５に記載のシステムであって：
目標表示、前記広告コンテント及び前記他のコンテントを評価する解析構成要素；並びに解析に基づいて前記広告コンテント及び前記他のコンテントの可視的描写を確立する生成構成要素；
を更に有する、システム。
【請求項９】
モバイル装置により広告コンテントをレンダリングするための、コンピュータにより実施される方法であって：
複数のキーワードを有する検索クエリを受信するステップ；
複数の広告主ルールに照らして、前記複数のキーワードを解析するステップ；
前記複数のキーワードの前記解析するステップの結果に基づいて、広告コンテントを検索するステップ；及び
前記広告コンテント以外の領域の外側のコンテントにおいて前記広告コンテントの副集合を提示するステップ；
を有する方法。
【請求項１０】
請求項９に記載のコンピュークにより実施される方法であって：
コンテキストを確立するステップであって、前記コンテキストは、少なくとも、日時、場所、スケジュール又は興味の関数であり、前記広告コンテントを検索するステップは確立されたコンテキストの関数である、ステップ；
を更に有する、方法。
【請求項１１】
請求項９に記載のコンピュータにより実施される方法であって：
前記モバイル装置が一体化されたレーザが備えられた装置を用いて、前記広告コンテントの前記副集合を表示するステップ；
を更に有する、方法。
【請求項１２】
データを記憶するメモリ；
前記メモリに記憶されているデータ、外部のネットワークから検索されたデータ、及びユーザにより入力されたデータの少なくとも１つを処理するプロセッサであって、前記プロセッサは、グラフィカルューザインタフェース（ＧＵＩ）に関連する第１部分可視的出力と、広告情報に関連する第２部分可視的出力とを生成する、プロセッサ；並びに
外部に画像を投影するプロジェクタモジュールであって、全投影可能領域は、第１領域と、前記第１領域を境界付ける第２領域とを有し、前記第１部分可視的出力に従った画像が前記第１領域に表示され、前記第２部分可視的出力に従った画像が前記第２領域に表示される、プロジェクタモジュール；
を有するモバイル演算装置。
【請求項１３】
請求項１２に記載のモバイル演算装置であって：
前記ＧＵＩに関連する一体的スクリーンであって、前記一体的スクリーンは、前記第１部分可視的出力に従った情報を表示する、一体的スクリーン；
を更に有する、モバイル演算装置。
【請求項１４】
請求項１２に記載のモバイル演算装置であって、前記プロジェクタモジュールは、光源、投影レンズ系、及び光変調器を有し、前記光変調器の第１部分は前記第１部分可視的出力により制御され、前記光変調器の第２部分は前記第２部分可視的出力により制御され、前記光源からの光は、前記光変調器により変調され、前記投影レンズ系を介して外側の受け面において前記画像の各々を生成する、モバイル演算装置。
【請求項１５】
請求項１４に記載のモバイル演算装置であって、前記光源は発光ダイオード（ＬＥＤ）を有する、モバイル演算装置。
【請求項１６】
請求項１４に記載のモバイル演算装置であって、前記光源はダイオードレーザを有する、モバイル演算装置。
【請求項１７】
請求項１２に記載のモバイル演算装置であって、前記プロジェクタモジュールは：
前記第１部分映像信号及び前記第２部分映像信号を受入する制御器；
前記制御器により変調された光ビームを発する光源；並びに
前記光ビームを受入するように位置付けられ、全投影可能領域の前記第１領域及び前記第２領域に対して前記光ビームをスキャンするように前記制御器により制御されるマイクロスキャナ；
を有する、モバイル演算装置。
【請求項１８】
請求項１７に記載のモバイル演算装置であって、前記光源は、前記制御器に結合された赤色レーザ、緑色レーザ、青色レーザ、及び前記赤色レーザ、前記緑色レーザ及び前記青色レーザからのレーザビームを受入し、結合された光ビームを出力するコンバイナ光学系モジュールを有する、モバイル演算装置。
【請求項１９】
請求項１７に記載のモバイル演算装置であって、前記マイクロスキャナはＭＥＭＳミラーである、モバイル演算装置。
【請求項２０】
演算装置に関連するプロジェクタを介して広告情報を表示する、コンピュータにより実施される方法であって：
広告情報に関連するデータを検索するステップであって、前記広告情報は、オンライン広告プログラムを介して遠隔サーバに、ユーザクエリに基づいて生成される、ステップ；並びに
グラフィカルインタフェースを表す第１部分映像出力と、前記広告情報の副集合を表す第１部分映像出力とを有する映像出力を前記プロジェクタを介して生成するステップであって、前記プロジェクタの全投影可能領域は第１領域及び第２領域を有し、前記第１部分映像出力に関連する画像は前記第１領域に表示され、前記第２部分映像出力に関連する画像は前記第２領域に表示される、ステップ；
を有するコンピュータにより実施される方法。
【請求項２１】
請求項２０に記載のコンピュータにより実施される方法であって：
内蔵スクリーンに前記第１部分映像出力を適用するステップであって、前記内蔵スクリーンは前記第１部分映像出力に従った情報のみを表示する、ステップ；
を更に有する、コンピュータにより実施される方法。
【請求項２２】
請求項２０に記載のコンピュータにより実施される方法であって、前記広告情報は前記第２領域内を移動するウィンドウにより表示される、コンピュータにより実施される方法。
【請求項２３】
請求項２０に記載のコンピュータにより実施される方法であって、前記広告情報は前記第２領域にのみ表示される、コンピュータにより実施される方法。
【請求項２４】
請求項２０に記載のコンピュータにより実施される方法であって、前記広告情報の第１部分は前記第１領域に表示され、前記広告情報の第２部分は前記第２領域に表示される、コンピュータにより実施される方法。
【請求項２５】
広告コンテント管理を容易にするシステムであって：
ユーザ情報に基づいて広告コンテントを選択する手段；
グラフィカルインタフェースの周囲の境界内の表示のための前記広告コンテントの副集合を構成する手段；及び
前記広告コンテントの前記副集合を外部に投影する手段；
を有するシステム。
【請求項２６】
請求項２５に記載のシステムであって、前記投影する手段は、面に前記広告コンテントの前記副集合を投影する一体的投影モジュールである、システム。
【発明の詳細な説明】
【技術分野】
【０００１】
オンライン広告は、インターネットの使用及びインターネットに対するアクセスが拡大するにつれて、急速に成長し続けている重要な広告媒体である。特に、インターネットは、複数のデータベースに記憶されることが可能であり、それらのデータベースからアクセスされることが可能である情報量を利用可能にして益々増加させ続けている。更に、携帯型端末（例えば、ノートブックコンピュータ、携帯電話、携帯情報端末（ＰＤＡ）、スマートフォン及び他の類似する通信装置）が急増するにつれて、ユーザは、益々携帯性が向上していて、故に、インターネットを介してアクセス可能な情報に益々依存するようになってきている。従って、インターネットを介して利用可能な接続性は、ウェブにおいて利用可能な情報を“サーフする”又は探すためにしばしば、用いられる。
【背景技術】
【０００２】
電子メール（ｅメール）又はインターネットブラウジング等のモバイル演算アプリケーションは特に、モバイル装置において益々一般的になってきている。残念ながら、オンライン広告は、モバイル装置の急増を効果的に利用していず、特に、小さいディスプレイスクリーンを有するモバイル装置でそうである。例えば、携帯電話、スマートフォン又はＰＤＡについて取り上げると、それらの装置の殆どは、約２インチ乃至４インチのディスプレイスクリーンサイズを有する。このような限られたディスプレイの面積は、ブラウザ検索結果、映像、アプリケーション、ユーザインタフェース等のユーザ情報と共にスクリーンに広告情報を効果的に出すことを、不可能ではないが、困難にしている。従来のシステムは典型的には、ユーザコンテントを広告コンテントと置き換えている。理解できるように、これは、ユーザの経験を少なくし、広告の効果を危うくしている。
【発明の概要】
【課題を解決するための手段】
【０００３】
以下、本発明について、図を参照しながら詳述し、同じ参照番号は、図全部を通して、同じ要素を示すように用いられる。以下の説明においては、説明目的で、主題の発明の十分な理解ができるように、複数の特定の詳細について記載されている。しかしながら、本発明がそれらの特定の詳細を伴わずに実行されることが可能であることは明らかである。他の実施例においては、知られている構造及び装置について、本発明の説明を容易にするように、ブロック図で示されている。
【０００４】
本明細書で用いているように、用語“構成要素”、“モジュール”及び“システム”は、コンピュータに関連したエンティティ、ハードウェア、ハードウェア及びソフトウェアの組み合わせ、ソフトウェア、又は実行中のソフトウェアのことをいうように意図されている。例えば、構成要素は、プロセッサで実行される処理、プロセッサ、オブジェクト、実行、実行のスレッド、プログラム及び／コンピュータであることが可能であるが、それらに限定されるものではない。例示として、サーバで実行されるアプリケーション及びサーバの両方が構成要素であることが可能である。１つ又はそれ以上の構成要素は、実行のプロセス及び／又はスレッド内に存在することが可能であり、構成要素は、１つのコンピュータに位置付けられる及び／又は２つ又はそれ以上のコンピュータ間に分配されることが可能である。
【０００５】
本明細書で用いられているように、用語“推論する”又は“推論”は一般に、イベント及び／又はデータを介して捕捉される観測の集合から、システム、環境及び／又はユーザの状態について判断する又は推論するプロセスのことをいう。推論は、特定のコンテキスト又はアクションを特定するように用いられることが可能であり、又は、例えば、複数の状態に亘る確率分布を生成することが可能である。推論はまた、確率的である、即ち、データ及びイベントの考慮に基づく、推論の複数の状態に亘る確率分布の演算であることが可能である。推論はまた、イベント及び／又はデータの集合から高次のイベントを構成するために用いられる技術のことをいうことが可能である。そのような推論は、イベントが時間的な近接性において密接に関連付けられるか否かに拘わらず、及びイベント及びデータが１つ又は複数のイベント源及びデータ源からもたらされるか否かに拘わらず、観測されたイベント及び／又は記憶されたイベントデータの集合から新しいイベント又はアクションの構築をもたらす。
【０００６】
ユーザに情報を表示する特定の方法が図示され、その方法について、スクリーンショットとして特定に図に対して説明されている一方、当業者は、種々の他の代替を用いることが可能であることを理解することができる。用語“スクリーン”、“ディスプレイ”、“ウェブページ”及び“ページ”は一般に、本明細書においては互換性があるとして用いられる。ページ又はスクリーンは、表示記述として、グラフィカルユーザインタフェースとして、又は表面又はスクリーン（パーソナルコンピュータ（ＰＣ）、携帯情報端末（ＰＤＡ）、携帯電話、他の適切な装置であろうと）上に情報を示す他の方法により、記憶され及び／又は送信され、ページ上に表示されるレイアウト及び情報又はコンテントは、局所的又は遠隔的に拘わらず、メモリ、データベース又は他の記憶設備に記憶される。
【０００７】
本明細書で開示されている及び請求されている本発明は、ユーザに対する広告コンテントの提示を改善するシステム（及び対応する方法論）を有する。システムは、広告コンテントがコアユーザのコンテントを妨害しないように、ディスプレイ表面又はスクリーンを区分化する。例えば、広告コンテントは、ユーザコンテントの外側の境界領域に表示されることが可能である（例えば、アプリケーションインタフェース、マルチメディアコンテント）。ユーザコンテントの演算を伴わずにディスプレイ上に広告を戦略的に位置付けることにより、ポジティブなユーザ体験が維持されることが可能である。
【０００８】
主題の発明の他の特徴においては、投影機構が携帯型装置内に位置付けられる。プロジェクタは、外部表面に戦略的に位置付けられたコンテントを表示することが可能である。特徴においては、投影機構は、ディスプレイを有効にするように、赤色、緑色及び青色レーザのセットを用いるレーザに基づく機構である。
【０００９】
主題の発明の他の特徴においては、ユーザが自動的に実行されることを望むアクションを予知する又は推論するように確率に及び／又は統計に基づく解析を用いる人工知能又はＭＬＲ構成要素が提供される。
【図面の簡単な説明】
【００１０】
【図１】本発明の特徴に従った、ユーザコンテンツの範囲の外側に広告コンテンツを配置することを容易にするシステムの例示としてのブロック図である。
【図２】一部の実施形態に従った、外部の受信面に画像を投影するモバイル演算装置を示す図である。
【図３】本発明の特徴に従った、表示のためのコンテントの選択及び構成を容易にする手順の例示としてのフローチャートである。
【図４】本発明の特徴に従った選択管理構成要素の例示としてのブロック図である。
【図５】本発明の特徴に従った提示管理構成要素の例示としてのブロック図である。
【図６】本発明の特徴に従った代替としての提示管理構成要素の例示としてのブロック図である。
【図７】本発明の実施形態の１つに従った投影画像を示す図である。
【図８】本発明の実施形態の１つに従った投影画像を示す図である。
【図９】本発明の実施形態の１つに従った投影画像を示す図である。
【図１０】モバイル演算装置に組み込まれることが可能である例示としてのプロジェクタモジュールを示す図である。
【図１１】本発明の一部の実施形態に従った、プロジェクタモジュールの例示としての模式図である。
【図１２】本発明の一部の実施形態に従った、光変調器と投影画像との例示としての関係を示す図である。
【図１３】本発明の一部の実施形態に従った、例示としてのプロジェクタモジュールの分解図である。
【図１４Ａ】本発明の特徴に従った所定の第１時間フレームにおけるマイクロスキャナを示す図である。
【図１４Ｂ】本発明の特徴に従った所定の第２時間フレームにおけるマイクロスキャナを示す図である。
【図１４Ｃ】本発明の特徴に従った所定の第３時間フレームにおけるマイクロスキャナを示す図である。
【図１５】本発明の一部の実施形態に従った演算装置を示す例示としてのブロック図である。
【発明を実施するための形態】
【００１１】
はじめに図を参照するに、図１は、提示領域を有効に利用するようにユーザコンテントと共に広告コンテントの提示を容易にするシステム１００を示している。下で詳細に説明するように、特徴においては、提示領域は、携帯電話、スマートフォン、ＰＤＡ、パーソナルメディアプレーヤー等のモバイル装置の内部スクリーンであることが可能である。更に、提示領域は、投影される又は表示される広告コンテント及びユーザコンテントを含むデータを表示する面であることが可能である。例示として、特徴においては、モバイル装置に内在する投影手段が、面に画像を表示するように用いられる。
【００１２】
図１に示すように、システム１００は一般に、提示スクリーン又は面の面積（ｒｅａｌ  ｅｓｔａｔｅ）の有効利用を可能にする広告管理システム１０１を含む。ユーザコンテントを妨げないように広告を構成することに加えて、広告管理システム１０１は、ユーザに対して提供される適切な広告コンテントを選択することも可能である。更に、広告管理システム１０１は、内部的に（例えば、内蔵スクリーンにおいて）又は外部的に（例えば、投影手段を介して、面において）広告コンテント及びユーザコンテントを表示することが可能である。本発明のそれらの特徴、機能及びの有利点の各々については、以下に示す図を参照しながら詳述する。
【００１３】
図１を継続して参照するに、広告管理システム１０１は、選択管理構成要素１０４及び提示管理構成要素１０５を有することが可能である。それと共に、それらの副構成要素（１０４、１０５）は、ユーザコンテントと共に広告データの有効な選択及び提供をもたらす。例示として、図示しているように、ユーザコンテント１０７は、ディスプレイの内部領域又はエリアに表示されることが可能である一方、広告コンテント１０９は、ユーザコンテント領域と隣接する領域に提示されることが可能である。理解できるであろうように、このへり又は縁に広告コンテント１０９を表示することにより、ユーザコンテントとの干渉を軽減する。従って、ユーザは、たぶんより楽しいユーザ体験ができる一方、ユーザには尚も広告が見えている。
【００１４】
本明細書に記載しているように、特徴においては、表示される広告は、コンテキストに基づくものであり、故に、広告を目的とすることによる効果を高めることが可能である。目的とする広告は広告効果をかなり高めることが可能であることを理解することができる。集められた情報（例えば、ユーザのクエリ）が、ユーザの現在のアクティビティ又はコンテキストに関連する広告を検索するように、選択管理構成要素１０３により用いられることが可能である。従って、提示管理構成要素１０５は、ユーザコンテントを囲む領域に広告データを提示するようにその広告データを組織化する、配置する又は構成することが可能である。
【００１５】
上記のように、この表示は、モバイル装置の内部のスクリーンに提供されることが可能である、又は、モバイル装置の外部の面に投影されることが可能である。それらの特徴においては、装置の内部の投影手段は、面（例えば、壁、天井、デスクトップ）にコンテントを外部的に投影するように用いられることが可能である。それらの特徴については、図１を参照することにより更に理解することができる。
【００１６】
ここで図２を参照するに、それらの特徴においては、携帯電話、ＰＤＡ、スマートフォン又はノートブックコンピュータ等のモバイル演算装置２０２は、内蔵スクリーン２０４及び内蔵プロジェクタモジュール２０６を有する。図示しているように、プロジェクタモジュール２０６は、受け面に外部的に画像を投影することが可能である。受け面と投影モジュール２０２の投影レンズとの間の距離が与えられると、全体的な投影可能領域２０８が、機械的な制約に従って投影画像が表示されることが可能である最大領域を現れる。この実施形態においては、以下の段落の１つの段落で紹介しているキーストーン補正機能であって、投影モジュール２０６により投影されたキーストーン補正の後の最大画像サイズが全投影可能領域２０８より小さい、キーストーン補正機能について紹介している。
【００１７】
全投影可能領域２０８は、第１領域２１２及び第２領域２１４であって、上記実施形態においては、第１領域２１２及び第２領域２１４の合計は最大画像サイズ２１０に等しい。特徴においては、グラフィクスに基づくユーザインタフェース（ＧＵＩ）と共に用いられるように意図された背景２１６が第１領域２１２に表示され、内蔵スクリーン２０４によっても表示される。複数の実施形態に従って、ユーザがクエリ、例えば、インターネットブラウザを介して探索するキーワードを提出した後、モバイル演算装置２０２は、クエリ応答データを受信する及び／又は接続ネットワークを介して遠隔サーバから情報を広告する。一部の実施形態においては、接続ネットワークは、ＧＰＲＳ、ＣＤＭＡ、３Ｇ、Ｗｉ−Ｆｉ、ＷｉＭａｘ等の無線ネットワークであることが可能である。少なくとも広告情報の一部は第２領域２１４に投影される。一部の実施形態においては、第２領域２１４は可視的には用いられない一方、表示される広告情報は存在しない、例えば、第２領域の画素は、そのような状況下では暗く又は黒く表示される、若しくは表示されない。
【００１８】
背景２１６は、直交画像座標に従った表示のための映像情報を有することが可能である。背景映像情報は、データの可視的表現を生成するように画素構成に従った表示のためのデータを参照する。そのデータは、各々の画素のための値を用いて論理的に記憶されることが可能であり、一部の実施形態においては、そのデータは、ディスプレイ装置の解像度に適合する又はしないことが可能である所与の画素解像度に基づく。背景で用いられるピクチャファイルは、ビットマップとして記憶される映像情報を有することが可能であり、そのビットマップは、記憶されている画像における各々の画素についてのルマ値及び／又はクロマ値のアレイを有する。カラービットマップは、８、１６、２４及び３２ビット等の画素深度を用いて“ＢＭＰ”として記憶されることが可能である。他のグラフィクスフォーマット、例えば、ＧＩＦ、ＪＰＥＧ及び他も、背景画像を記憶するように用いられることが可能である。
【００１９】
直交画像座標は、記憶されているデータフォーマット、画素についての位置構成、又は映像情報の表示のための前提の出力フォーマットを参照する。一部の実施形態においては、画素値は、直交ｘ−ｙ座標系等の、平面画像における画素の位置構成に従って割り当てられる又は記憶される。ｘ−ｙ座標画素の位置はその場合、映像データが画像においてどこで出力されるかを判定するように用いられ、例えば、プロジェクタモジュール２０６に含まれるＬＣＤ（液晶ディスプレイ）又は光変調器であることが可能である内蔵型スクリーン２０４により与えられる。
【００２０】
直交画像座標に従って特徴化した映像情報は、それらの直交画像座標が表示のためにどのように記憶される及び／又は意図されるかを表すが、それらが実際にどのように投じられる又は表示されるかを必ずしも表さない。従って、複数の本発明の実施形態については、プロジェクタモジュール２０６の出力画像は、必ずしも真に直交的ではない。例えば、ＣＲＴ（陰極線管）モニタについては、実際の画像座標は、例えば、ＣＲＴモニタのための出力スクリーンにおける僅かな曲率のために、ビューアに対して必ずしも好適に直交的ではないことが理解できる。投影画像のために生成される画像座標も、必ずしも真に直交的ではない。プロジェクタモジュール２０６のための映像情報を出力する投影レンズが、受け面に対して垂直でない中心軸を有するとき、画像のキーストーン歪が現れ得る。キーストーン歪はしばしば、直交画像座標に従って表示のために意図された矩形映像情報のための台形画像を生成する。一部の実施形態においては、モバイル演算装置２０２は、キーストーン歪を低減するためのディジタルキーストーン補正を組み込むことが可能である。
【００２１】
プロジェクタモジュール２０６については、全投影可能領域２０８は、実質的なキーストーン歪が適用されないときには、光変調器が生成する画像のために最大画素寸法を用いて特徴付けられることが可能である。この場合、最大画像サイズは典型的には、光変調装置（ＤＭＤ又はＬＣＤ）の解像度に基づいて制限される。最大画像サイズ２１０についての直線寸法は、プロジェクタモジュールの投影レンズと受け面との間の距離並びにプロジェクタモジュール２０６についての広がり角により変わるが、何れかのキーストーン歪が適切に補正された後に、画像において測定されることが可能である。実質的なキーストーン補正が適用されるとき、図２に示されるような実施形態においては、最大画像サイズ２１０は、何れかのキーストーン歪が実質的に補正された後の利用可能な最大画像サイズである。
【００２２】
背景２１６の周囲は、背景２１６に含まれる背景映像情報を境界付け、背景の大きさ及び形状についての境界としての役割を果たす。その周囲は、第１領域２１２に適合するビットマップピクチャについての外側の画素等の、画像についての最も外側の画素を有する。
【００２３】
実施形態においては、周囲はまた、グラフィクスに基づくユーザインタフェース（ＧＵＩ）についての許容可能有効領域を決定する。有効領域は、グラフィクスに基づくユーザインタフェースについて可視的出力限界を規定し、ユーザ入力は、グラフィクスに基づくユーザインタフェースについて制限する。従って、有効領域は、グラフィクスに基づくユーザインタフェースにより動作されるプログラムにより用いられるグラフィクスの表示のための空間的制限を確立する。例えば、その周囲は、ポインタ、ウィンドウ、グラフィックス制御、ブラウザ、及びグラフィクスに基づくユーザインタフェースを用いるモバイル演算装置２０２において実行されるグラフィクスに基づくユーザインタフェースに含まれる他の可視的出力についての可視的制限を決定する。
【００２４】
実施形態においては、背景２１６の大きさは、フルサイズで広げられる又は表示されるウィンドウについての寸法を制限する。同様に、フルサイズに広げられたウィンドウブラウザは、ツールバー及び他の常に可視的なグラフィクス構成要素を差し引いた、周囲に対する大きさ、形状及びアスペクト比において制限され得る。周囲はまた、ポインタを操作すること、ウィンドウを広げること、ウィンドウを拡張する又は移動させること、ブラフィクスコントロール又は他のグラフィクス構成要素を移動指せること等を決定する。更に、周囲は、グラフィクスに基づくユーザインタフェースと関連するプログラム及びプログラムアクションを境界付ける空間的制限を規定する。それらの境界、輪郭、フレーム及び他の空間的配置が、下で図を参照することにより十分に理解することができる。
【００２５】
図３は、本発明の特徴に従って、広告コンテントをレンダリングする方法論を示している。説明を簡単にする目的で、ここで、例えば、フローチャートの形式で示されている１つ又はそれ以上の方法論が一連のステップとして示されて、記載されている一方、一部のステップは、本発明に従って、ここで図示されて、記載されている他のステップと異なる順序で及び／又は同時に生じ得るために、主題の発明はステップの順序により限定されないことを理解する必要がある。例えば、当業者は、状態図におけるように、方法論は代わりに、一連の相互関係状態又はイベントとして表されることが可能であることを理解することができる。更に、本発明に従った方法論を実行するためには、示されている全てのステップが必要とされるのではない。
【００２６】
ステップ３０２においては、検索クエリ情報が受信される。例えば、本発明は、ユーザに又はユーザの現在のアクティビティに関連するコンテント、トピックス、コンテント等を確立するように、ユーザ演算アクティビティをモニタすることが可能である。クエリは、上記の基準を確立するように、ステップ３０４において解析されることが可能である。例えば、クエリのキーワードが、ユーザが特定の位置でスポーツバーを検索することを確立するように解析されることが可能である。一旦確立されると、広告が、ステップ３０６において検索されることが可能である。ここでは、ルールに基づく論理が、解析に基づいてどの広告が検索されるべきかを確立されるように用いられることが可能である。その例は現在のアクティビティ又はコンテントを考慮するが、他の特徴が存在し、故に、広告は、何れのルール又は望ましい基準の殆どに基づいて役割を果たされることを理解する必要がある。
【００２７】
例えば、適用可能なルールに従って、付加的な広告が検索されるようになっているかどうかを、ステップ３０８において判定される。それが肯定的な場合、その方法論は、示されているように、ステップ３０６に戻る。それが否定的な場合、その方法論は、ステップ３１０に進み、表現形態が確立される。ここで。ユーザコンテント及び広告提示領域が確立されることが可能である。更に、輪郭内の個別の広告の配置も確立されて、構成される。
【００２８】
最終的には、ステップ３１２において、コンテントがレンダリングされる。例えば、ユーザは演算装置に取り組み、例えば、インターネットをサーフィンするため、外側の輪郭内で役割が果たされる広告は、ユーザのコンテント、興味、人口統計又は他の好ましい目標因子の関数として一貫して変化されることが可能である。同様に、広告は、ユーザ、広告主又はホストサービス（例えば、ＩＳＰ（インターネットサービスプロバイダ）、携帯電話サービスプロバイダ）により望まれるようにランダムに役割が果たされることも可能であることが、理解される必要がある。
【００２９】
ここで図４を参照するに、選択管理構成要素１０３の例示としてのブロック図が、本発明の特徴に従って示されている。上記のように、一実施例においては、システムは、広告の処理又は目標化においてコンテキストを考慮することが可能である。従って、選択管理構成要素１０３は、広告の有効な且つ包括的な目標化において役に立つ何れのコンテキスト因子の殆どを処理することが可能であるコンテキストアウェアネス構成要素を有することが可能である。
【００３０】
示しているように、コンテキストアウェアネス構成要素４０２は、広告を包括的に選択し、故に広告を目標化するように、キーワード、トピックス、アクティビティ、日時、場所、スケジュール、興味等を含む因子を考慮することが可能であるが、それらに限定されるものではない。図４の実施例はコンテキストアウェアネスを採用している一方、他の特徴が、必要に応じて他の特徴が単に所定のルールを適用する又は広告をランダムに選択することが可能であることを理解する必要がある。
【００３１】
論理構成要素４０４が、適切な広告の決定で役に立つように用いられることが可能である。上記のように、論理構成要素は、広告の目標化でようにルール又は機械学習及び理由付け（ＭＬＲ）機構を採用することが可能である。換言すれば、システムは、リアクションシナリオを規定するルールを用いて予めプログラムされることが可能である。他方、システムは、ユーザアクティビティ、履歴、興味等に基づいて、訓練される及び／又は学習されることが可能である。
【００３２】
実施例においては、主題の発明（例えば、広告選択と関連して）は、種々の特徴を実行するために種々のＭＬＲに基づくスケジュールを用いることが可能である。例えば、どの広告が選択されるべきか、どのように／どこにレンダリングされるべきか、等を判定する処理が、自動分類詞システム及び処理により容易化されることが可能である。
【００３３】
分類子は、入力がクラスに属す確かさに対して、入力属性ベクトルｘ＝（ｘ１，ｘ２，ｘ３，ｘ４，ｘｎ）をマッピングする関数、即ち、ｆ（ｘ）＝Ｃｃｏｎｆｉｄｅｎｃｅ（ｃｌａｓｓ）である。そのような分類は、ユーザが自動的に実行されることを望むアクションを予測する又は推測するように、確率に及び／又は統計に基づく分析（例えば、解析ユーティリティ及びコストに因数分解する）を用いることが可能である。
【００３４】
サポートベクトルマシン（ＳＶＭ）は、用いることが可能である分類子の例である。ＳＶＭは、有効な入力の空間において超曲面を求めることにより動作し、超曲面は非トリガリングからトリガリング基準を分けるように試みる。直感的には、これは、近いが、訓練データと同じでない試験データについてその分類を修正する。異なる独立性パターンが用いられることが可能である場合には、他の指向性及び非指向性モデル分類方法には、例えば、単純ベイズ、ベイジアンネットワーク、決定ツリー、ニューラルネットワーク、ファジー論理モデル及び確立分類モデルがある。ここで用いられる分類は、優先順位のモデルを構築するために用いられる統計的回帰も含む。
【００３５】
本明細書により容易に理解できるであろうように、主題の発明は、明示的に訓練される（例えば、ジェネリック訓練データによって）及び暗示的に訓練される（例えば、ユーザの挙動を観察すること、付帯情報を受信することにより）分類子を用いることが可能である。例えば、ＳＶＭは、分類子コンストラクタ及び特徴選択モジュール内の学習又は訓練フェーズを介して構成される。従って、分類子は、いつ広告を選択すべきか、どこで広告をレンダリングすべきか（例えば、輪郭における配置）、いつ広告をレンダリングすべきか等の所定基準に従って判定することを含む複数の機能を自動的に学習する及び実行するように用いられることが可能である。
【００３６】
例示としては、ユーザが昼食時にアプリケーションを動作させているとすると、ここで、システムは、日時及びユーザの場所を決定して、例えば、履歴のアクティビティ及びパフォーマンスに基づいて、ユーザの好みのレストランに関連する広告を選択的にレンダリングすることが可能である。同様に、システムは、位置付けられた検索クエリ及び結果に関連するキーワード、トピックス等に基づいて、インターネットブラウザのアクティビティをモニタして、広告をレンダリングすることが可能である。
【００３７】
ここで、図５を参照するに、本発明の特徴に従った提示管理構成要素１０５の例示としてのブロック図が示されている。図示されているように、提示管理構成要素１０５は、コンフィグレーション構成要素５０２及びレンダリング構成要素５０４を有することが可能である。同時に、それらの副構成要素（５０２、５０４）は、上記のユーザコンテントと共に広告コンテントの表示を容易にする。動作中、コンフィグレーション構成要素５０２は、ユーザデータ及び広告データ並びにそれらの間の関係を生成する、更に、この副構成要素は、配置及びレイアウトを有効にするように論理（例えば、ルール、ＭＬＲ）を適用する。レンダリング構成要素５０４は、一体化スクリーン、外部面（例えば、投影手段による）又はそれらの組み合わせによって、表示を容易にする。
【００３８】
図６は、特徴に従って、提示管理構成要素１０５の代替の例示としてのブロック図である。図６に示すように、コンフィグレーション構成要素５０２は、生成構成要素６０２及び解析構成要素６０４を備えることが可能である、同時に、それらの副構成要素（６０２、６０４）は、上記のような表示のために、コンテンツを構築し、配置し、組織化することが可能である。換言すれば、それらの副構成要素（６０２、６０４）は、ポジティブなユーザの経験を維持しながら、スクリーンの場所の有効使用を可能にする。広告コンテントは、そのユーザの経験を妨害しないように表示されることが可能である。
【００３９】
生成構成要素６０２は、コンテントのグラフィック表示を生成して、その空間的関係を確立することが可能である。例えば、提供されるデータ（例えば、ｘ−ｙ座標情報）に基づいて、空間的関係は、ユーザコンテントの観点から広告の適切な配置を保証するように確立されることが可能である。生成コンテント６０２は、ユーザコンテント、広告コンテント、背景、領域の境界線等を確立することが可能である。レンダリング構成要素６０４は、ユーザのビューのための画像を最終的に供給することが可能である。
【００４０】
図示しているように、解析構成要素６０４は、ポリシ、嗜好等を含む何れかの因子に基づくルールを適用するように用いられることが可能であるが、それらに限定されるものではない。一旦、解析が終了して、コンテントが構成されると、レンダリング構成要素６０４は可視的表示を容易にすることが可能である。特徴においては、提示は、モバイル装置内の一体的スクリーンを介するものである。他の特徴においては、投影モジュールは、面に表示するように用いられることが可能である。更には、外部モニタ又は表示手段が、本発明の主旨及び範囲から逸脱せずに用いられることが可能である。内部ディスプレイ及び外部ディスプレイの組み合わせが、本発明の主旨及び範囲から逸脱せずに能であることを理解する必要がある。例えば、ユーザコンテントが、一体的スクリーンに表示されることが可能である一方、同時に、投影手段が、外部の面にユーザコンテントを囲んで広告コンテントを提示するように用いられることが可能である。これは実際には、例えば、観客の前で提示シナリオにおいて有用且つ有効であることが理解できる。
【００４１】
ここで、図７を参照するに、広告ウィンドウ７０２は、固定又は定常位置に留まってばかりいるのではなく、第２領域において移動することが可能である。このように、広告ウィンドウ７０２は、ユーザコンテント領域２１２に対して干渉しない。実施形態においては、広告ウィンドウ７０２の移動は、本明細書で記載している映像出力アプリケーションの領域ルールにより規定されることが可能である。全投影可能領域の第２領域２１４において情報が表示される任意の関数又はデフォルトであるフロー関数が存在することが可能である。
【００４２】
他の実施形態においては、広告ウィンドウ７０２の移動は、広告管理システム１０１の広告主ルールにより又は広告主コンテント１０９自体により規定されることが可能である。左右方向の移動に加えて、ネットワークアプリケーション（ブラウザ等）における多様なフォーマットの表示、例えば、フローイングウィンドウ、フラッシュアニメーション、マーキー（ｍａｒｑｕｅｅ）、ニュースティッカ等が適用されることが可能であることが理解できる。領域ルールに従って、広告主コンテント１０９の全ての種類のフォーマットが、第２領域２１４に表示されることが可能である。
【００４３】
図８は、広告ウィンドウ８０２が、第１領域２１２の一部に及び第２領域２１４の一部に表示される／投影されることが可能である実施形態の代替の配置を示している。その特徴においては、ユーザの経験との干渉を緩和するようにルールが適用されることが可能であることが理解できる。例えば、そのシステムは、ナビゲーションポインタが置かれたことを検出することが可能であり、故に、広告８０２は、ユーザが制御するときに、ポインタにより移動する。その特徴においては、ユーザは、干渉又は不快感を伴わずに広告を視覚化することが可能であることが理解できる。
【００４４】
図９は、メインＧＵＩに関連する背景の形状は、上記のような矩形ではなく、他の形状も可能であることを示している。これは、一部の実施形態においては、投影される第１領域２１２は所望の何れかの形状であることが可能であることも意味すると理解することができる。例えば、有名な商標又はロゴに類似する形状がコマーシャル／広告収入をもたらすことも可能である。第１領域２１２の非矩形形状についての境界線はその場合、上記のユーザ入力の限界を規定することが可能である。実施形態においては、背景データ及び境界線はメモリに、特に、演算装置のメーカーが提示するように意図したデフォルトの背景形状をユーザが変えられないようにする不揮発性メモリに、記憶される。他の実施形態においては、背景／第１領域２１２の形状は、ネットワークから受信される広告情報に従って変えられる、図示しているように、広告ウィンドウ９０２は、必要に応じて又は所望に応じて背景形状又は他の独立した広告情報に関連する関連広告情報を供給するための第２領域２１４に表示又は投影されることも可能である。
【００４５】
ここで図１０を参照するに、携帯電話等のモバイル演算装置２０２に組み込まれる又は一体的に備えられることが可能であるプロジェクタモジュール２０６が示されている。理解できるであろうように、サイズの小型化が、モバイル演算装置２０２の可搬性に関して重要な問題である。この点で、モバイル演算装置２０２に組み込まれる又は接続されることが可能であり、サイズの小型化の要求にも適合するサイズ小型化プロジェクタモジュール２０６又はプロジェクタの実施形態について、下に記載されている。
【００４６】
図１１は、一部の実施形態に従って例示としてのプロジェクタモジュール１１００の模式図である。プロジェクタモジュール１１００は、上記の受け面に映像画像を生成する又は投影する。特徴においては、プロジェクタモジュール１１００は、光を生成するようにレーザを用いる。実施形態においては、プロジェクタモジュール１１００は、各々の減色のための３つのレーザセットを用いる。図示しているように、プロジェクタモジュール１１００は、赤色レーザセット３２、緑色レーザセット３４、青色レーザセット３６、ハウジング２０、光変調器４４、ファン６２、電源６６、光ファイバインタフェース７０、光ファイバケーブル７２、入力／出力回路７４、制御回路７６、入力／出力インタフェース７８、コヒーレント拡散器８２、リレー光学系８０、プリズム構造１１０及び投影レンズ系１１２を有する。
【００４７】
ハウジング２０は、プロジェクタモジュール１１００内に内部チャンバ６５及びプロジェクタモジュール１１００の外側の寸法を規定する。ハウジング２０はまた、プロジェクタモジュール１１００の内部の構成要素を機械的に保護する。図示しているように、ハウジング２０は、４つの壁２２ａ乃至ｄ、上部壁（図示せず）及び下部壁（図示せず）を有する。壁２２は、ハウジング２０内のチャンバ６５を規定する。壁２２ａ乃至ｄは、プロジェクタモジュール１１００のための構造的硬さを与え、ハウジング２０内の内側構成要素を機械的に保護する適当に硬い材料、例えば、金属又は成形プラスチックを有する。ハウジング２０の１つ又はそれ以上の壁２２ａ乃至ｄは、ハウジング２０の外部の環境とチャンバ６５との間の空気の流れを可能にするベント２４も有することが可能である。ベント２４はまた、ハウジング２０の上部壁及び下部壁に位置付けられることも可能である。
【００４８】
電源６６は、赤色レーザセット３２、緑色レーザセット３４、青色レーザセット３６、及び電力を消費するプロジェクタモジュール１１００内の他の構成要素に電力を供給する。従って、電源６６は、制御回路７６、入力／出力回路７４、ファン６２及び光モジュール４４に電気エネルギーを供給することが可能である。電源コードポート８１は電源コードを受け、電源コードは、壁電源のようなＡＣ電源に電源６６を結合している。実施形態においては、ＡＣ電力のＤＣ電力への変換は、ラップトップコンピュータ電力コードと共通であり、故に、電源６６及びプロジェクタモジュール１１００のサイズを小型化し、プロジェクタモジュール１１００の可搬性を向上させるように、電力コードの両端部間に有する変換器で行われる。
【００４９】
他の実施形態においては、電源６６は、少なくとも１つの充電可能バッテリ６６ａを有する。バッテリ６６ａは、電源コードポート８１を介して供給される電力を用いて充電される。バッテリ６６ａは、ＡＣ電源の近くに存在することに依存することなく、プロジェクタモジュール１１００が蓄積されたエネルギーで動作することを可能にし、そのことは、プロジェクタモジュール１１００の可搬性を更に高める。例えば、ハウジング２０内にバッテリを組み込むことにより、一定のＡＣ電力が利用可能でない又は手近かでない設定に対してプロジェクタモジュール１１００の使用を広げることができる。
【００５０】
例えば、赤色レーザセット３１、緑色レーザセット３４及び青色レーザセット３６に含まれるレーザのような上記のレーザは、可視光スペクトルとして一般に受け入れられる約４００ｎｍ乃至７００ｎｍの範囲内の波長を有するレーザを生成する。レーザ光は、一部の場合には、下で更に詳細に記載しているように、所望の周波数を達成するように初期生成の後に操作されることが可能であるレージング機構を用いて生成される。赤色レーザセット３２、緑色レーザセット３４及び青色レーザセット３６のそれぞれは、プロジェクタモジュール１１００の光源として用いられる赤色レーザ光、緑色レーザ光及び青色レーザ光を生成する。一部の他の実施形態においては、発光ダイオード（ＬＥＤ）がまた、光源として選択されることも可能である。
【００５１】
実施形態においては、各々のレーザは実質的なコヒーレント光を発する。コヒーレント光は放射光（例えば、ランプ又は発光ダイオードによる）とは異なり、略同じ方向に進む光により特徴付けられる。各々のレーザから発せられるレーザ光は、コヒーレントとしても特徴付けられることが可能である。レーザ光のコヒーレンシは、光又は放射光波面における空間的及び時間的変化の不変性に関係する。高度なコヒーレンシとは、一連の略同じ振幅の波面における２つの点間で実質的に一定の位相差（空間的コヒーレンシ）、及び異なる波面における同じ点の間の相関性（時間的コヒーレンシ）を意味する。レーザビームが、一方向に進む平面波であるとみなされる場合、それは、伝播方向における波面の直交度のために空間的にコヒーレントである。また、本明細書に記載されているようにレーザから発せられるレーザ光の略単色光性のために、そのレーザビームは一般に、典型的にはコヒーレントであり、即ち、それは、一のときに発せられるビームの部分と他のときに発せられるビームの部分との間の略一定位相の関係を表す。
【００５２】
赤色レーザセット３２は、プロジェクタモジュール１１００で用いるための赤色光を生成するように設計される又は構成される。実施形態においては、赤色レーザセット３２における各々のダイオードレーザは、約６１５ｎｍ乃至約６９０ｎｍの範囲内の波長を有する赤色光を生成して、発する。実施形態においては、赤色レーザセット３２の各々のダイオードレーザは、約６２５ｎｍ乃至約６４５ｎｍの範囲内の波長を有する光を生成して発するためのレージング機構及びレーザキャビティを有する。
【００５３】
緑色レーザセット３４は、プロジェクタモジュール１１００で用いるための緑色光を生成するように設計される又は構成される。実施形態においては、緑色レーザセット３４における各々のダイオードレーザは、約５１０ｎｍ乃至約５７０ｎｍの範囲内の波長を有する光を生成する。実施形態においては、緑色レーザセット３４は、各々が約５３０ｎｍ乃至約５５０ｎｍの範囲内の波長を有する緑色光を発する緑色レーザ発光ダイオード励起固体レーザを有する。
【００５４】
青色レーザセット３６は、プロジェクタモジュール１１００で用いるための青色光を生成するように設計される又は構成される。実施形態においては、赤色レーザセット３６における各々のレーザは、約４２０ｎｍ乃至約５００ｎｍの範囲内の波長を有する青色光を発する。実施形態においては、青色レーザセット３６の各々のダイオードレーザは、約４３０ｎｍ乃至約４６０ｎｍの範囲内の波長を有する光を生成して発するためのレージング機構及びレーザキャビティを有する。
【００５５】
一般に、各々の色のセットについて組み合わされたレーザパワーは、プロジェクタモジュール１１００についての所望の光強度出力に従って、並びに、当業者が理解できるように、各々の赤色、緑色及び青色に対するビューアの光感度に従って適合されることが可能であるである。セットにおける個別のレーザの電力は、設計により変わり得、各々のレーザセットにおけるレーザの数は、セットで用いられる個別のレーザの出力電力により変わる。
【００５６】
各々のレーザは、各々のレーザを搭載する回路基板４３０に備えられる。各々の回路は、回路基板４３０に備えられた各々のレーザについての電気的な通信を与える。複数のレーザダイオードが、赤色レーザセット３２、緑色レーザセット３４及び青色レーザセット３６等のレーザセットにより占められる空間を小さくするように単一の回路基板４３０に搭載されることが可能である。その基板はまた、回路基板４３０及び個別のレーザを冷却するために、レーザと熱伝導連通する１つ又はそれ以上のヒートシンクも有することが可能である。
【００５７】
実施形態においては、赤色レーザセット３２、緑色レーザセット３４及び青色レーザセット等のレーザセット３６における各々のレーザは、レーザ性能に関してフィードバックするセンサを有する。例えば、赤色レーザセット３２のダイオードレーザは、各々のダイオードレーザから光学的にフィードバックするフォトダイオードチップを有することが可能である。各々のフォトダイオードからの情報はその場合、各々のレーザセットについてのレーザ出力を表すように制御回路７６に供給される。
【００５８】
制御回路７６は、プロジェクタモジュール１１００内の構成要素に制御信号を供給し、プロジェクタモジュール１１００内の適切な構成要素に入力／出力回路７４からのデータを経路付けることが可能である。従って、赤色レーザセット３２、緑色レーザセット３４及び青色レーザセット３６等のレーザセットにおけるレーザは、各々のレーザがオン／オフに切り換えられるときに調節する制御回路７６からの制御信号を受ける。より具体的には、制御回路７６は、１つ又はそれ以上の入力／出力インタフェース７８及び入力／出力回路７４を介して信号に含まれる映像データを受け、連続的なカラーフレーム毎に映像データを画素データに変換し、光モジュレータ４４に及び各々のダイオードレーザに連続的なカラー画素データを供給する。連続的な赤色、緑色及び青色の順序で赤色光、緑色光及び青色光を送出する共通光経路に沿って光が送出される光モジュレータ４４並びに赤色レーザセット３２、緑色レーザセット３４及び青色レーザセット３６におけるレーザ間の組み合わされた光送出経路設計においいて、制御回路７６は、赤色レーザセット３２、緑色レーザセット３４及び青色レーザセット３６のそれぞれに送出されるオン／オフコマンド及び光変調器４４に送出される色付きデータのタイミングを同期化する。
【００５９】
制御回路７６はまた、プロジェクタモジュール１１００内の構成要素の動作についての命令を記憶するメモリを有し、そのメモリにアクセスすることが可能である。例えば、記憶された熱調節命令は、ファン６２に対して制御回路７６により送出される制御信号を指定することが可能である。１つ又はそれ以上の温度センサはまた、熱調節を容易にするようにハウジング２０内に備えられることも可能である。例えば、温度センサは、温度レベルをモニタするように入力／出力回路７４及び制御回路に近接して備えられ、制御回路７６により実行される記憶されている論理により決定されるプロジェクタモジュール１１００内の閉ループ温度制御に加わる。代替として、各々のダイオードレーザのために配列された温度センサは、各々のレーザのために温度レベルを検知し、所望のレーザ温度レベルのための記憶されている命令に基づいてファンの使用に影響する情報を出力する。制御回路７６は、例えば、インテル社製又はモトローラ社製のチップのファミリの１つのような市販のプロセッサ、コントローラ又はマイクロプロセッサを有することが可能である。
【００６０】
入力／出力インタフェース７８は、ディジタル演算装置からの映像データを構成する映像信号を送出するためのケーブル等の少なくとも１つのケーブル、ワイヤ又はコネクタを受け入れる。入力／出力インタフェース７８と共に用いるために適切な共通ポートは、Ｓ映像ケーブル、６ピンミニＤＩＮ、ＶＧＡ１５ピンＨＤＤＳＵＢ、オーディオケーブル、Ｓ映像アダプタを介する構成要素ＲＣＡ、コンポジット映像ＲＣＡケーブル、ユニバーサルシリアルバス（ＵＳＢ）ケーブル、ファイヤワイヤ等を受け入れるポートを有する。入力／出力インタフェース７８はまた、ヘッドホン又はスピーカシステムに含まれるスピーカからの有線接続を受け入れるオーディオ出力ポートも有することが可能である。
【００６１】
入力／出力回路７４は、制御回路７６と入力／出力インタフェース７８からの１つ又はそれ以上のインタフェースとの間のインタフェースを提供する。入力／出力回路７４及び入力／出力インタフェース７８は、映像データを担持する映像信号を出力する装置とプロジェクタモジュール１１００との間の通信を集合的に可能にする。制御回路７６に供給される映像データはディジタル形式又はアナログ形式にある（例えば、ＶＣＲ（ビデオカセットレコーダ）からの）。一部の場合には、入力／出力回路７４及び制御回路７６は、液晶ディスプレイ“ＬＣＤ”装置又はディジタルマイクロミラー“ＤＭＤ”装置等のプロジェクタモジュール１１００に含まれる光変調器４４のディジタル制御のために適切なディジタル映像信号にアナログ映像信号を変換する。入力／出力回路７４又は制御回路７６は、Ｓ映像ケーブル又はディジタル映像信号のために必要な処理ロジック等の特定のコネクタタイプのための記憶されている論理及び支援ソフトウェアも有することが可能である。制御回路７６は、入来データタイプの変換を容易にするようにメモリに記憶されている論理を有し、又はその論理にアクセスし、プロジェクタモジュール１１００の映像互換性を改善する。制御回路７６によりアクセスされたメモリにおいて変換命令が記憶されている適切な映像フォーマットは、例えば、ＮＴＳＣ、ＰＡＬ、ＳＥＣＡＭ、ＥＤＴＶ及びＨＤＴＶ（１０８０ｉ及び７２０ｐ  ＲＧＢＨＶ）を有することが可能である。
【００６２】
ファン６２ａ及び６２ｂは、プロジェクタモジュール１１００の構成要素を冷却するためにハウジング２０のチャンバ６５を通るように空気を移動させる。実施形態においては、ファン６２は、ハウジング２０の一方側の吸入空気ベント２４ａを通って空気を引き込み、空気がプロジェクタモジュール１１００の内部構成要素及びハウジング２０の壁を冷却した後に、排出空気ベント２４ｂから加熱された空気を排出する。当業者は、ファン６２及びベント２４の配置は光源チャンバ６５内の内部構成要素配置により変わることが理解できる。特に、チャンバ６５内のファン６２により影響されるファンの配置及びエアフローパターンは、ハウジング２０内の構成要素の熱発生の寄与及び個別の温度調節条件に従って設計される。典型的には、赤色レーザセット３２、緑色レーザセット３４、青色レーザセット３６及び電源６６は、ハウジング２０内の熱の最大比率を生成する一方、制御回路７６、光変調器４４及び入力／出力回路７４は温度調節の優先順位を示す。
【００６３】
これに対して、吸入空気６９は吸入空気ベント２４ａ内を通過し、最初は、光変調器４４、制御回路７６及び入力／出力回路７４のところを通って冷却する一方、空気は比較的冷たく、電源６６並びに赤色レーザセット３２、緑色レーザセット３４及び青色レーザセット３６のところを通過し、排出空気ベント２４ｂから排出される。排出空気は、ファン６２ａ及び６２ｂのそれぞれを回転させるファンモータ６３ａ及び６３ｂも冷却することが可能である。実施形態においては、複数のファン６２が、ハウジング２０のためのより小さい輪郭を可能にするように用いられる。当業者は理解できるであろうように、用いられるファン６２の数及び大きさは、プロジェクタモジュール１１００内の熱の発生と、１つ又はそれ以上の放熱目標を維持するための所望の空気の流れに依存する。チャンバ６５は、所望のように空気の流れを方向付けて分布させるように、チャンバ６５内に１つ又はそれ以上の鉛直方向及び水平方向の気流ガイド６７を有することも可能である。実施形態においいては、赤色レーザセット３２、緑色レーザセット３４及び青色レーザセット３６のための回路基板４３０は、チャンバ６５内の空気の流れの方向に対して垂直に、即ち、鉛直方向に配列され、気流ガイド６７は、各々の回路基板４３０の面を横断するように冷却空気を方向付けるように配置される。
【００６４】
実施形態においては、赤色レーザセット３２、緑色レーザセット３４及び青色レーザセット３６におけるレーザからの光出力は光ファイバケーブル７２に対して供給される。光ファイバケーブル７２は、赤色レーザセット３２、緑色レーザセット３４及び青色レーザセット３６におけるレーザから複数の又は共通の光経路に沿ってリレー光学系８０に光を送出する１つ又はそれ以上の光ファイバケーブルを有し、リレー光学系８０は光ファイバケーブル７２の出射端と光変調器４４との間の光経路に沿って備えられている。光ファイバケーブル７２の各々のケーブルは、レーザセット３２、３４又は３６の一におけるレーザからの光を受けるように構成された入射端７２ａと、リレー光学系８０への送出及び光変調器４４への続く送出のためにレーザ光を出射するように構成された出射端７２ｂとを有する。光ファイバケーブル７２は曲げられる及びフレキシブルに位置付けられることが可能であるため、光ファイバケーブル７２は、レーザセットとリレー光学系８０との間の位置付け及び方向付けに拘わらず、レーザセットとリレー光学系との間の光送出を有利に可能にする。例えば、これは、ハウジング２０内の空間の保持を改善し、ハウジング２０のフットプリントを減少させ、プロジェクタモジュール１１００の大きさを最小化するために用いられる、レーザセット３２、３４及び３６におけるレーザ、リレー光学系８０並びにプリズム構造１１０のフレキシブルな配列を可能にする。
【００６５】
光ファイバケーブルの数は設計により変わる。複数の光ファイバケーブルは、各々のケーブルが１つ又はそれ以上のレーザのために用いられる設計で採用されることが可能である。代替として、複数の光ファイバケーブルが、各々のケーブルが原色を送出する設計で採用されることが可能である。例えば、各々のケーブルが３つの異なる光路に沿って原色のセットから３つの原色に専用の光変調器に各々のケーブルが光を送出する、３つの光ファイバケーブルが、用いられることが可能である。代替として、共通の光ファイバケーブルが、単一のミラーに基づく光変調器４４に共通の経路に沿って連続的に発せられる赤色、緑色及び青色光を送出するように用いられることが可能である。光ファイバケーブル７２は、当業者に知られている多様なベンダから利用可能であるような単一モード又はマルチモードのファイバを有することが可能である。一部の場合には、光ファイバケーブル７２が単一モードの光ファイバケーブル７２における光送出からもたらされる何れかの発散を補正する単一モードのファイバであるとき、収束レンズは出射端７２ｂに備えられる。
【００６６】
光ファイバインタフェース７０は、各々のレーザセットから光ファイバケーブル７２への光の送出を容易にする。光ファイバインタフェース７０は、各々のレーザセットからの光出力が光ファイバケーブルに送出されるように、光ファイバケーブル７２に含まれる各々の光ファイバケーブルについての入射端を位置付けて保持する１つ又はそれ以上の固定具を有することが可能である。インタフェース７０は、レーザセットから光ファイバケーブル７２に光を方向付ける光学系を有することも可能である。実施形態においては、単一の光ファイバケーブルが光ファイバケーブル７２において用いられ、光ファイバインタフェース７０は、各々のレーザから単一のケーブルに光を方向付けることが可能である単一の光ファイバケーブルの入射と各々のレーザセットの出射との間に備えられるレンズ系を有する。レンズ系は、少なくとも２つのレンズであって、ファイバ入口の方に光を方向付ける第１レンズと、ケーブルに入る光を再コリメートする第２レンズとを有することが可能である。
【００６７】
光ファイバケーブル７２に対する一対一対応レーザの関係を実行する他の実施形態においては、光ファイバインタフェース７０は、光を受け入れるように単一のレーザの出口に比較的近接している各々の光ファイバケーブル７２のために入射端７２ａを保持する。この場合の各々のケーブルは、光の捕捉及び光ファイバケーブルへの送出を容易にする入射端において収束レンズを有することが可能である。一対一対応の実施形態においては、光ファイバケーブル７２における各々の光ファイバケーブルは、レーザへの取り付けを可能にする固定具を有する。例えば、フロリダ州ダニディン市のＯｃｅａｎ  Ｏｐｔｉｃｓ  Ｉｎｃ．のようなベンダ製の市販の光ファイバケーブルは、レーザハウジングに備えられた接合スレッドに光ファイバケーブルをねじ止めして固定することを可能にするスレッドにより取り外し可能な固定を有する。この場合、光ファイバインタフェース７０は、各々の光ファイバケーブルのためのねじ込み固定具を有し、接合スレッドは、レーザハウジングに付加される。
【００６８】
共通光経路における送出の実施形態においては、各々のレーザセット３２、３４及び３６におけるレーザからの光は、光変調器４４により受信される前に、共通経路に沿って進む。この場合、赤色光、緑色光及び青色光は、光変調器４４に映像信号において与えられる赤色、緑色及び青色映像データに対応する光ファイバケーブルに時間同期して供給される。
【００６９】
リレー光学系８０は、プリズム構造１１０を介する光変調器４４への送出に適する光束に光ファイバケーブル７２から受信された光を変換する。これは、１つ又はそれ以上のレンズを用いて、光ファイバケーブル７２から受信される光を成形して、サイズ変更することを有することが可能であり、光束分布において強度を均一にすることを有することが可能である。そのようにするように、光学系８０は、ハウジング内に適切に間隔を空けて、配列された１つ又はそれ以上のレンズを有することが可能である。実施形態においては、第１レンズ８０ａが、光ファイバケーブル７２から受信された光束の領域を増加させるように選択されて、配列される一方、第２レンズ８０ｂは、光変調器４４への送出のために実質的にコリメートされた光束に第１レンズ８０ａにより送出された発散光を変換するように選択されて、配列される。
【００７０】
回転ディフューザ８２は、第１レンズ８０ａと第２レンズ８０ｂとの間に備えられる。回転ディフューザ８２は、モータ８６により回転される透明なガラススクリーン８４を有する。図１１に示すように、回転ディフューザ８２はフォーカシングされていないビームを遮り、故に、時間的ユヒーレンス及び空間的コヒーレンスの両方を低下させ、且つ出力画像における可能性のあるスペックルを減少させる。他の実施形態においては、回転ディフューザが、光ファイバケーブル７２の出口とレンズ８０ａにより受け入れられる前との間の光路中に導入される。
【００７１】
回転ディフューザ８２は、レーザセット３２、３４及び３６におけるレーザ光の生成と外部の投影レンズ１１２ｃからの投影画像の出力との間の光路に沿った他の場所に備えられることが可能であることを理解することができる。例えば、回転ディフューザは、複数の光ファイバケーブルからの光が共通光ファイバケーブルに送出される接合部に近接して配置されることが可能である。この場合、回転ディフューザ８２は、空間的コヒーレンスを維持しながら、時間的コヒーレンスのみを減少させるように、ビームの焦点に備えられることが可能である（例えば、ビームがある点にフォーカシングされる能力）。回転ディフューザ８２は、レーザと光ファイバ連結との間の、又は例えば、最後のリレーレンズとプリズム構造１１０との間の光を遮るように備えられることも可能である。実施形態においては、ユヒーレンスディフューザが、何れかのリレー光学系により光束領域において広げられる前にレーザ光を遮るように備えられることが可能である。小さい光束領域の光ビームを遮ることは、ガラススクリーン８４及びコヒーレンスディフューザモータ８６のサイズを減少させる。
【００７２】
実施形態においては、リレー光学系８０は、レンズセット３２、３４及び３６とプリズム構造１１０との間の、例えば、第２レンズ８０ｂとプリズム構造１１０との間の光路内に備えられた一対のフライアイレンズを有する。累積的に、一対のフライアイレンズは、光変調器４４に送出される光束において均一に光を再分布させる。第１フライアイレンズは、各々が全流入光束領域の一部を有するブロック又は構成要素のセットに入力光束を空間的に分割する複数のレンズを有し、第２フライアイレンズにおける対応するブロックに各々のブロックのための光を送出する。第２フライアイレンズは複数のレンズを有し、各々のレンズからの部分輝度光束がオブジェクト領域において互いに重ねられるように照明されるオブジェクト領域に対して各々の構成要素のための光を出力し、その複数のレンズの数は、第エフライアイレンズにおけるレンズの数と同じである。
【００７３】
他の実施形態においては、リレー光学系８０は、レンズセット３２、３４及び３６とプリズム構造１１０との間の、例えば、レンズ８０ｂとプリズム構造１１０との間の光路内に備えられた積分器トンネル（ｉｎｔｅｇｒａｔｏｒ  ｔｕｎｎｅｌ）を有する。積分器トンネルは、典型的には矩形である出力端における出力形状により、決定される形状において略均一に分布した強度を有する光束を出力するように全内部反射を用いる。出射は、下流の光変調器４４のアスペクト比と適合するように寸法決めされることも可能である。積分器は、当業者に知られていて、当該技術分野で用いられているような硬いガラス製ロッドを有する。必要に応じて、１つ又はそれ以上のレンズが、光変調器４４による受け入れのために適切である大きさに出力端に存在する大きさから積分器トンネルにより出力される光束を再サイズ決めするように備えられることが可能である。
【００７４】
プリズム構造１１０は、所定の角度で光変調器生４に光を供給し、出力経路３１に沿って投影レンズ系１１２に光変調器４４から光を送出する。プリズム構造１１０は、空気の空間又は結合界面１１０ｃにより分離されたプリズム構成要素１１０ａ及び１１０ｂを有する。結合界面１１０ｃは、光変調器４４の方にリレー光学系８０から供給される光を反射するようにそのような角度で備えられている。更に、結合界面１１０ｃは、光変調器４４により反射される光が出力光路３１に沿って投影レンズ系１１２に送出されるようにする。
【００７５】
光変調器４４は、出力経路３１に沿って出力画像を供給するように光を選択的に透過する又は反射する。そのようにするように、光変調器４４は、映像信号に含まれる映像データが供給され、映像データに従って光を選択的に透過する。映像データは典型的には、個別の画素値に従ってフレーム毎に装置４４に供給される。映像データがこの形式でプロジェクタモジュール１１００により受入されない場合、ハウジング２０内の制御回路７６は、光変調器４４の動作のための適当な形式に映像データを変換する。実施形態においては、各々が出力画像における個別の画素に対応する、光変調器４４内の個別の光変調要素は、各々の画素についての対応する光出力に受入されたディジタル化画素値を変換する。
【００７６】
実施形態においては、光変調器４４は、ミラーベースの空間的光変調器、例えば、テキサスインスツルメンツ社製のディジタルマイクロミラーデバイス（ＤＭＤ（登録商標）（テキサスインスツルメンツ社の商標））である。何れかの、ＳＤＲ又はＤＤＲシリーズにおけるＸＧＡ又はＳＶＧＡ解像度チップは、複数の実施形態で用いるのに適切である。この場合、光変調器４４は、小さいアルミニウム製のマイクロメカニカルミラーの矩形状アレイであって、それらの各々は個別に、出力経路３１に沿って出力画像光を選択的に反射し、出力経路３１から遠ざかるように非画像光を反射するように、ヒンジ軸について偏向する、矩形状アレイを有する。各々のミラーの偏向状態又は角度は個別に、基礎的アドレッシング回路のメモリコンテント及びミラーリセット信号を変えることにより、制御される。ミラーのアレイは、各々のミラーが映像画像において単独の画素の光出力に寄与するように備えられる。画素の出力に対応する制御信号は、各々のミラーに近接して備えられている電極を制御し、故に、画素毎の映像データに従って電磁力により個別のミラーを選択的に偏向するように、供給される。各々のミラーにより反射された光はその場合、出力経路３１に沿って、プリズム構造１１０を介して、投影レンズ系１１２を用いてプロジェクタモジュール１１００の外に送出される。
【００７７】
リレー光学系８０の配置及びプリズム構造１１０の面は、光変調器４４についての照明角度を制御する。光変調器４４の個別のミラーによる光反射の後、反射光は、プリズム構造１１０を出て、出力光路３１に沿ってレンズ１１２の方に進む。出力投影経路３１は、ａ）プロジェクタモジュール１１００内の光変調器４４により選択的に透過された画像光の方向、及びｂ）プロジェクタモジュール１１００から出力される光の方向、を特徴付ける。光変調器４４により選択的に透過される光については、経路３１は、‘オン’状態で要素のための光変調器４４から、プリズム構造１１０を介して、そして外側の投影レンズ１１２ｃを出て、直線として延びている。
【００７８】
投影レンズ系１１２は、プロジェクタモジュール１１００から経路３１に沿って光変調器により透過された光を投影する出力経路３１に沿って備えられている。投影レンズ系１１２は、出力レンズ１１２ｃから受け面までの距離が増加するにつれて、受け面における投影画像キャストが拡大されるように、出力経路３１に沿って光変調器４４により透過された画像光を操作する。投影レンズ系１１２は、第１投影レンズ１１２ａ、第２投影レンズ１１２ｂ及び外側の投影レンズ１１２ｃを有し、それらの各々は、出力光路３１に沿って中心を合わせて及び直交して備えられている。各々の投影レンズ１１２間の距離は、外側の投影レンズ１１２ｃからの所望の広がり角により変えられ、用いられる投影レンズ系の数によっても変えられる。実施形態においては、プロジェクタモジュール１１００は、例えば約６インチ乃至約１５フィートの範囲内の短い投擲距離について設計される。プロジェクタモジュール１１００は、ユーザが投影レンズ系１１２からの出力を手動でフォーカシングする及び手動でズームすることを可能にする１つ又はそれ以上のボタン又はツールを有することも可能である。
【００７９】
動作中、レンズセット３２、３４及び３６により生成される光は光ファイバケーブル７２により収集される及びその光ファイバケーブル７２内を送出される。リレー光学系８０は、プリズム構造１１０内の反射を介して光変調器４４への送出のために適切である光束サイズに光ファイバケーブル７２により送出される光を変換する。プリズム構成要素１１０ａを介して伝播する光は、全内部反射により結合界面１１０ｃにおいて面１１０ｄの方に反射され、光変調器４４の方に方向付けられる反射された予め変調されたビームを構成する。反射された予め変調されたビームは、投影される画像に対応する信号における映像データに従って光を選択的に送出する光変調器１４に到達するようにプリズム構成要素１１０ａを介して進む。出射面１１０ｅを通って出力される光は、スクリーン又は適切な受け面に対する拡大された表示のために画像光を操作する投影レンズ系１１２を通って伝播する光路３１により特徴付けられる。典型的には、画像は、受け面までの距離が増加するにつれてその画像が拡大するような広がり角で投影される。
【００８０】
図１２は、光変調器１２０２とプロジェクタモジュール１１００の投影画像との間の例示としての関係を示している。その実施形態においては、キーストーン歪は生じず、従って、キーストーン補正は実行されない。従って、最大画像サイズ２１０は全投影可能領域２０８に実質的に等しい。全投影可能領域２０８は第１領域２１２及び第２領域２１４を有する。
【００８１】
上記特徴においては、第１領域２１２に投影される背景２１６は、グラフィカルベースューザインタフェース（ＧＵＩ）と共に用いるように意図されている。実施形態においては、光変調器１２０４の第１部分のみが、背景２１６及び関連ＧＵＩについての映像出力を変調するために用いられる．光変調器１２０２は、全体の光変調器１２０２を用いることにより大きい画像を投影することができるが、投影型ディスプレイにっいては、当業者に知られている他の種類のディスプレイより大きい画像サイズを提供することができ、ユーザは、受け入れられる大きいサイズの出力画像を更に楽しむことができる。また、投影型ディスプレイの性質の１つは、固定的なフレームを有するＬＣＤ又はＣＲＴモニタと異なり、非固定的な出力画像サイズを有することであるため、ユーザは、光変調器１２０６の第２部分が主ＧＵＩのために用いられないことを、容易には見つけられない。第２領域２１４に投影される情報が存在しないとき、光変調器１２０６の第２部分の画素ユニットが、ＤＬＰチップが光変調器として用いるために適合される場合に、“オフ”状態に設定される。光変調器１２０２のためにＬＣＤ又はＬＣＯＳ技術を用いる実施形態においては、光変調器１２０６の第２部分の画素ユニットは、“ブラック”状態として設定される。
【００８２】
図１３は、一部の実施形態において用いられる他の種類のプロジェクタモジュールを示している。プロジェクタモジュール９８は、ハウジング９０、赤色レーザセット、緑色レーザセット９４、青色レーザセット９６、コンバイナ光学系９１、制御回路９７、マイクロスキャナ９９、入力／出力回路（図示せず）、入力／出力インタフェース（図示せず）、電源（図示せず）及び投影レンズ系９３を有する。
【００８３】
ハウジング９０は、プロジェクタモジュール９８におけるプロジェクタモジュール９８及びチャンバの外側の寸法を規定する。ハウジング９０はまた、プロジェクタモジュール９８の内部の構成要素を機械的に保護する。ハウジング９０は、ハウジング９０のチャンバと外部環境との間の空気流を可能にする空気ベントを有することも可能である。ベントも、ハウジング９０において位置付けられることも可能である。電源は、赤色レーザセット９２、緑色レーザセット９４、青色レーザセット９６、及び電力を消費するプロジェクタモジュール９８内の他の構成要素に電力を供給する。従って、電源は、制御回路、入力／出力回路、ファン、制御回路９７及びマイクロスキャナ９９を制御するように電気エネルギーを供給する。
【００８４】
図１１を用いて記載されている赤色レーザセット９２、緑色レーザセット９４及び青色レーザセット９６の複数の異なる実施形態が適用されることが可能である。コンバイナ光学系９１は、赤色レーザセット９２、緑色レーザセット９４及び青色レーザセット９６のそれぞれから赤色、緑色及び青色レーザ光を受入し、マイクロスキャナ９９に結合されたレーザビームを供給する。入力／出力回路は、入力／出力インタフェースから制御回路９７に映像信号を供給する。制御回路９７は、赤色レーザセット９２、緑色レーザセット９ユ及び青色レーザセット９６のそれぞれを制御する。画素の時間フレーム中に、赤色レーザセット９２、緑色レーザセット９１及び青色レーザセット９６のそれぞれは、制御回路９７からの制御信号に基づいて所定の階調の赤色、緑色及び青色に対応する所定のレーザパワーを生成する。赤色、緑色及び青色レーザが、画素として受け面に投影される所定のカラーレーザビームとして混合される又は結合される。画素の次の時間フレームにおいて、制御回路９７は、次の画素の所定色を生成するように所定のレーザパワーを生成する赤色レーザセット９２、緑色レーザセット９４及び青色レーザセット９６を制御する。
【００８５】
コンバイナ光学系９１は、画素の時間フレームにおいて所定のカラーレーザビームを出力し、各々の所定のカラーレーザが、投影画像の画素を生成するように用いられる。図１４Ａ乃至Ｃは、マイクロスキャブ一９９の例示としての作用方法を示している。所定の第１カラーレーザビーム９１ａが、画素の第１時間フレームにおいてコンバイナ光学系から出力され、所定の第２カラーレーザビーム９１ｂが、画素の第２時間フレームにおいてコンバイナ光学系から出力され、所定の第３カラーレーザビーム９１ｃが、画素の第３時間フレームにおいてコンバイナ光学系から出力される。マイクロスキャナ９９は、実施形態において、単独のミラーを有し、回転可能な２つの軸（Ｘ軸及びＹ軸）を有するＭＥＭＳ（Ｍｉｃｔｒｏ  Ｅｌｅｃｔｒｏ  Ｍｅｃｈａｎｉｃａｌ  Ｓｙｓｔｅｍ）であることが可能である。
【００８６】
マイクロスキャナ９９は、画素の位置に対応する所定の第１カラーレーザビーム９１ａ、所定の第２カラーレーザビーム９１ｂ又は所定の第３カラーレーザビーム９１ｃ等のレーザビームを反射するように、画素の時間フレームにおいてＹ軸に沿って所定のチルト角及びＸ軸に沿って所定のチルト角を有するように制御回路９７によって制御される。レーザビームの色を変える及びマイクロスキャナ９９のチルト角を変える座標に基づいて、映像画像が、スキャニング方法により外側の受入面に投影されることが可能である。
【００８７】
図１５は、一部の実施形態に従った演算装置を示す例示としてのブロック図である。演算装置１５０は、デスクトップコンピュータ、ラップトップ又はノートブックコンビュータ、携帯情報端末（ＰＤＡ）又は携帯電話等の何れかのコンピュータであることが可能である。
【００８８】
演算装置１５００は、１つ又はそれ以上のプロセッサ（ＣＰＵ）１５０２、１つ又はそれ以上のネットワーク又は他の通信インタフェース１５０４、メモリ１５０６、及びそれらの構成要素と相互接続するための１つ又はそれ以上の通信バス１５１４を有する。演算装置１５００は、表示装置１５１０、マウス１５１１及びキーボード１５１２を有するユーザインタフェース１５０８を有することが可能である。実施形態においては、表示装置１５１０はプロジェクタを有することが可能であり、他の実施形態においては、表示装置１５１０は、ＬＣＤスクリーン及びプロジェクタの両方を有することが可能である。ＬＣＤスクリーンは、他の実施形態においてタッチパネル機能を組み込むことも可能である。
【００８９】
メモリ１５０６は、高速ランダムアクセスメモリ（ＲＡＭ）を有することが可能であり、１つ又はそれ以上の磁気ディスク記憶装置等の不揮発性メモリを有することも可能である。メモリ１５０６は任意に、プロセッサ１５０２から離れて位置付けられている１つ又はそれ以上の記憶装置を有することが可能である。演算装置１５００におけるメモリ１５０６は、下記のプログラム、モジュール及びデータ構造、若しくはそれらの副集合又は上位集合を記憶することが可能である。オペレーティングシステム１５１６は、種々の基本的システムサービスを操作し、ハードウェア依存性タスクを実行する手順を有する。ネットワーク通信モジュール１５１８は、遠隔のサーバ又は他のコンピュータに演算装置１５００を接続するために用いられる。
【００９０】
実際には、演算装置１５００及び関連する通信インタフェース１５０４と、ネットワーク、広告ニンピュータ／サーバとの間の広告プログラム管理及びデータ記憶磯能の分配は、多くの異なる方法で分けられることが可能である。一部の実施形態においては、広告管理アプリケーション１５１２は、演算装置１５００において入力されるが、広告コンピュータ／サーバに記憶される広告主コンテント１５２２及び広告主ルール１５２４により、ネットワークアプリケーション１５０８（例えば、ウェブブラウザ）において実行されるアプレットである。
【００９１】
他の実施形態においては、広告管理アプリケーション１５２１は別個のアプリケーションである。一部の実施形態においては、広告主のオンライン広告プログラムが警告／通知に応答してどのように修正されるかについての広告主のルールは、広告ユンピュータ／サーバにではなく、演算装置１５００の広告主ルール１５２４のみに記憶される。他の実施形態においては、広告主のオンライン広告ブログラムが警告／通知に応答してどのように修正されるかについてのルールを含む広告主のルールの全ては、ローカル演算装置１５００及び遠隔広告コンピュータ／サーバの両方の広告主ルール１５２１に記憶される。
【００９２】
ウェブブラウザ等のネットワークアプリケーション１５０８は、クエリ応答データ１５２０を含むリアルタイムの広告統計をみるために一部の実施形態において用いられ、クエリ応答データ１５２０は、検索エンジンからの検索結果等の遠隔データサービスからネットワークを介して検索されたデータであり、それは、ウェブブラウザ等のネットワークアプリケーションを介するユーザのクエリに対する応答である。広告管理アプリケーション１５２１は、特定の広告主のためのオンライン広告プログラムを管理し、特定の広告主のオンライン広告プログラムにおいて用いられる広告を含む広告主コンテント１５２２を有し、広告主ルール１５２４は、特定の広告主のためのオンライン広告プログラムを指定し、広告主データ１５２６は、特定の広告主のオンライン広告プログラムを管理するように用いられる非ストリームデータ（例えば、広告主の予算、値付け、勘定残高等）を含む。
【００９３】
実施形態においては、演算装置１５００は表示装置としてプロジェクタを用いる一方、プロジェクタの全投影可能領域は、領域ルール１５３６に従った映像出力アプリケーション１５３０により第１領域及び第２領域に分割され、映像出力アプリケーション１５３０は、オペレーティングシステム１５１６について背景データ１５３２及び／又はアイコンデータ１５３４を管理することも可能である。第１領域は、オペレーティングシステム１５１６の主ＧＵＩを表示するために用いられる。背景は、全体的な第１領域をカバーするように投影されることが可能であり、アイコンは背景に表示されることが可能である。一部の実施形態においては、ユーザが、インターネットブラウザ等のネットワークアプリケーションを介してクエリを送信した後、クエリ応答データ１５２０が、そのようなブラウザにおいて第１領域に投影されて、表示され、関連する広告主コンテント１５２２が、領域ルール１５３６を適用することにより第２領域に投影されて、表示される。
【００９４】
上記の実施形態においては、ユーザは、広告主コンテント１５２２により占められる主ＧＵＩ又はバックグラウンドを見つけられない。プロジェクタ等の表示装置１５１０に投影される画素に基づく映像情報は、第１部分映像出力及び第２部分映像出力を有するプロセッサ１５０２により、又は他の実施形態においてはＧＰＵにより、提供されることが可能である。第１部分映像出力及び第２部分映像出力は、画像フレームの順序で、及び所定の画素の順序で各々の画像フレームにおいて、映像情報を提供する映像出力信号として結合する。
【００９５】
上記で図２に示して、それに関連して記載している他の実施形態においては、モバイル演算装置は、内蔵型スクリーン及びプロジェクタモジュールを有することが可能である。映像出力アプリケーション１５３０は、主ＧＵＩに関連する第１領域として内蔵型スクリーンの全体的な表示領域を規定するように領域ルール１５３６を適用することが可能であり、第２領域はプロジェクタモジュールによってのみ表示されることが理解できる。上記の特徴は、本明細書及び同時提出の特許請求の範囲における範囲内に含まれる。
【００９６】
上記の特定のモジュール及びアプリケーションの各々は、上記の機能を実行する命令の集合に対応する。上記のモジュール（例えば、命令の集合）は、別個のソフトウェアプログラム、手順又はモジュールとして実行される必要はなく、故に、それらのモジュールの種々の副集合が種々の実施形態において組み合わされる又は再構成されることが可能である。更に、メモリ１５０６は、上記されていない付加的なモジュール及びデータ構造を記憶することが可能である。
【００９７】
上記していることには本発明の実施例が含まれている。勿論、本発明の主題を記載する目的で全ての想定できる構成要素又は方法論の組合せを記載することは可能でないが、当業者は、本発明の多くの更なる組合せ及び置き換えが可能であることを理解することができる。従って、本発明は、同時提出の特許請求の範囲における主旨及び範囲から逸脱することない、変更、修正及び多様化の全てを包含するように意図されている。更に、表現“含む”は明細書及び特許請求の範囲で用いられる範囲に対して、そのような表現は、特許請求の範囲における転換語として用いられる場合に、用語“有する”に類似するとして包括的であるように意図されるものである。
【図１】
2012527710.tif 000003
【図２】
2012527710.tif 000004
【図３】
2012527710.tif 000005
【図４】
2012527710.tif 000006
【図５】
2012527710.tif 000007
【図６】
2012527710.tif 000008
【図７】
2012527710.tif 000009
【図８】
2012527710.tif 000010
【図９】
2012527710.tif 000011
【図１０】
2012527710.tif 000012
【図１１】
2012527710.tif 000013
【図１２】
2012527710.tif 000014
【図１３】
2012527710.tif 000015
【図１４Ａ−１４Ｃ】
2012527710.tif 000016
【図１５】
2012527710.tif 000017
【手続補正書】
【提出日】平成23年11月24日(2011.11.24)
【手続補正１】
【補正対象書類名】特許請求の範囲
【補正対象項目名】全文
【補正方法】変更
【補正の内容】
【特許請求の範囲】
【請求項１】
装置であって：
画像を表示する一体的スクリーン；
当該装置の外部に他の画像を投影するプロジェクタモジュール；及び
前記一体的スクリーンにコンテントを選択的に表示し、前記プロジェクタモジュールを介して当該装置の外部に広告コンテンツを投影する、又は、前記一体的スクリーンに前記広告コンテントを表示し、前記プロジェクタモジュールを介して当該装置の外部に前記コンテントを投影する、提示管理構成要素；
を有する装置。
【請求項２】
請求項１に記載の装置であって、前記提示管理構成要素は更に、前記一体的スクリーンにおける前記コンテントと共に前記広告コンテンツの部分を表示し、当該装置の外部に投影され、前記コンテント及び前記広告コンテントを有する前記表示にナビゲーションポインタが置かれたことを検出し、前記ナビゲーションポインタが検出された前記表示の領域を回避するように前記広告コンテントの前記部分を選択的に移動させる、装置。
【請求項３】
請求項１に記載の装置であって、前記プロジェクタモジュールは、光を生成する光源、投影レンズ系、及び前記光源からの前記光を変調し、前記投影レンズ系を介して外部の受け面に前記画像を生成する光変調器を有する、装置。
【請求項４】
請求項３に記載の装置であって、前記光源は発光ダイオード（ＬＥＤ）を有する、モバイル演算装置。
【請求項５】
請求項３に記載の装置であって、前記光源はダイオードレーザを有する、モバイル演算装置。
【請求項６】
請求項１に記載の装置であって、前記プロジェクタモジュールは：
映像信号を受入する制御器；
前記制御器により変調された光ビームを発する光源；並びに
前記光ビームを受入するように位置付けられ、投影可能領域に対して前記光ビームをスキャンするように前記制御器により制御されるマイクロスキャナ；
を有する、モバイル演算装置。
【請求項７】
請求項６に記載の装置であって、前記光源は、前記制御器に結合された赤色レーザ、緑色レーザ、青色レーザ、及び前記赤色レーザ、前記緑色レーザ及び前記青色レーザからのレーザビームを受入し、結合された光ビームを出力するコンバイナ光学系モジュールを有する、モバイル演算装置。
【請求項８】
請求項６に記載の装置であって、前記マイクロスキャナはＭｉｃｔｒｏ  Ｅｌｅｃｔｒｏ  Ｍｅｃｈａｎｉｃａｌ  Ｓｙｓｔｅｍ（ＭＢＭＳ）ミラーである、モバイル演算装置。
【請求項９】
装置に表示するコンテント及び広告コンテントを生成するステップ；
前記装置の内蔵スクリーンに前記コンテントを表示し、前記装置のプロジェクタモジュールを介して前記装置の外部に前記広告コンテンツを投影するステップ、又は、前記内蔵スクリーンに前記広告コンテンツを表示し、前記プロジェクタモジュールを介して前記装置の外部に前記コンテントを投影するステップの一を有する、前記装置に前記コンテント又は前記広告コンテントを選択的に表示するステップ；
を有する方法。
【請求項１０】
請求項９に記載の方法であって：
内蔵スクリーンに又は前記装置の外部に投影して、前記コンテントと共に前記広告コンテントの部分を表示するステップ；
前記コンテント及び前記広告コンテントを有する前記表示にナビゲーションポインタが置かれたことを検出するステップ；及び
前記ナビゲーションポインタが検出された前記表示の領域を回避するように前記広告コンテントの前記部分を選択的に移動させるステップ；
を更に有する、方法。
【請求項１１】
請求項９に記載の方法であって、前記広告コンテントを生成するステップは、前記コンテントに基づいて前記広告コンテントを生成するステップを更に有する、方法。
【請求項１２】
請求項９に記載の方法であって、前記広告情報は前記第２領域にのみ表示される、コンピュータにより実施される方法。
【請求項１３】
請求項１２に記載の方法であって：
前記広告コンテントの前記部分に関連するロゴの形式で整形された第１表示領域を生成するステップと、第１表示領域に前記コンテントを表示するステップと、前記第１領域の境界の外側にある第２表示領域に前記広告コンテントの前記部分を表示するステップとを有する、内蔵スクリーンに又は前記装置の外部に投影して、前記コンテントと共に前記広告コンテントの部分を表示するステップ；
を更に有する、方法。
【請求項１４】
装置に表示するコンテントを生成する手段；
前記装置に表示するための広告コンテントを生成する手段；
前記装置の内蔵スクリーンに前記コンテントを表示すること、前記装置のプロジェクタモジュールを介して前記装置の外部に前記広告コンテンツを投影すること、又は、前記内蔵スクリーンに前記広告コンテンツを表示し、前記プロジェクタモジュールを介して前記装置の外部に前記コンテントを投影することの一を選択的に実行する手段；
を有するシステム。
【請求項１５】
請求項１４に記載のシステムであって：
内蔵スクリーンに又は前記装置の外部に投影して、前記コンテントと共に前記広告コンテントの部分を表示する手段；
前記コンテント及び前記広告コンテントを有する前記表示にナビゲーションポインタが置かれたことを検出する手段；及び
前記ナビゲーションポインタが検出された前記表示の領域を回避するように前記広告コンテントの前記部分を選択的に移動させる手段；
を更に有する、システム。
【請求項１６】
実行に応答して、コンピュータ読み出し可能記憶装置が動作を実行するようにする、コンピュータにより実行される命令を有するコンピュータ読み出し可能記憶装置であって：
当該装置の一体的スクリーンにコンテントを表示し、当該装置のプロジェクタモジュールを介して当該装置の外部に広告コンテントを投影すること、又は、前記一体的スクリーンに前記広告コンテントを表示し、前記プロジェクタモジュールを介して当該装置の外部に前記コンテントを投影することの一を有する当該装置に前記コンテント及び前記広告コンテントを選択的に表示すること；
を有するコンピュータ読み出し可能記憶装置。
【手続補正書】
【提出日】平成23年11月24日(2011.11.24)
【手続補正１】
【補正対象書類名】明細書
【補正対象項目名】００１３
【補正方法】変更
【補正の内容】
【００１３】
図１を継続して参照するに、広告管理システム１０１は、選択管理構成要素１０３及び提示管理構成要素１０５を有することが可能である。それと共に、それらの副構成要素（１０３、１０５）は、ユーザコンテントと共に広告データの有効な選択及び提供をもたらす。例示として、図示しているように、ユーザコンテント１０７は、ディスプレイの内部領域又はエリアに表示されることが可能である一方、広告コンテント１０９は、ユーザコンテント領域と隣接する領域に提示されることが可能である。理解できるであろうように、このへり又は縁に広告コンテント１０９を表示することにより、ユーザコンテントとの干渉を軽減する。従って、ユーザは、たぶんより楽しいユーザ体験ができる一方、ユーザには尚も広告が見えている。
【国際調査報告】
2012527710.tif 000018
2012527710.tif 000019